(57)【要約】【課題】本発明は美観の低下を抑制して製造コストの削減を図ることのできる断熱箱体を提供することを目的とする。【解決手段】前面に開口部を有する内箱９と内箱９の外側を覆う外箱８との間に発泡断熱材２３を充填した断熱箱体２を備えた冷蔵庫１において、外箱８が側面を形成する側面板４４と背面を形成する背面板４０とを有し、背面板４０が両側部を前方に折り曲げた折曲部５０を設けられるとともに側面板４４の後端部に折曲部５０を弾性により保持する保持部５２を設け、折曲部５０が塑性変形により形成される複数の突起部５１を有する。【選択図】図４
2015031445.tif 000002
【特許請求の範囲】
【請求項１】
前面に開口部を有する内箱と前記内箱の外側を覆う外箱との間に発泡断熱材を充填した断熱箱体を備えた冷蔵庫において、前記外箱が側面を形成する側面板と背面を形成する背面板とを有し、前記背面板が両側部を前方に折り曲げた折曲部を設けられるとともに前記側面板の後端部に前記折曲部を弾性により保持する保持部を設け、前記折曲部が塑性変形により形成される複数の突起部を有することを特徴とする冷蔵庫。
【請求項２】
前記突起部が上下方向に延びて上下方向に並設されることを特徴とする請求項１に記載の冷蔵庫。
【請求項３】
前記突起部が水平方向に複数列設けられ、隣接する列の前記突起部が上下方向にずれて配されることを特徴とする請求項２に記載の冷蔵庫。
【請求項４】
前記突起部が前後方向に延びて上下方向に並設されることを特徴とする請求項１に記載の冷蔵庫。
【請求項５】
前記突起部が内側に向って突出するとともに前記折曲部の前端まで延び、
前記突起部間の外面に形成される溝部の前面が開放されるとともに、前記溝部の後端が前記側面板の後端よりも後方に配されることを特徴とする請求項４に記載の冷蔵庫。
【発明の詳細な説明】
【技術分野】
【０００１】
本発明は断熱箱体を備えた冷蔵庫に関する。
【背景技術】
【０００２】
従来の冷蔵庫は特許文献１に開示されている。この冷蔵庫は前面に開口部を有する樹脂成形品の内箱と内箱の外側を覆う金属板の外箱との間に発泡断熱材を充填した断熱箱体を備えている。内箱によって断熱箱体の内部が区画され、複数の貯蔵室が形成される。
【０００３】
外箱は天面板、側面板、背面板及び底面板により形成される。断熱箱体の天面及び両側面を形成する天面板及び側面板は同一金属板を折曲して形成される。断熱箱体の底面を形成する底面板は両側面板の下部に取り付けられる支持部材上に設置して両側面板間に橋架される。
【０００４】
一般に断熱箱体の背面を形成する背面板は左右端を前方に折曲した折曲部を有したコ字状に形成され、側面板の後端をＳ字状に折曲して形成された嵌合部に挿入される。折曲部を嵌合部の弾性により挟持して背面板が取り付けられる。
【先行技術文献】
【特許文献】
【０００５】
【特許文献１】特開２０１０−２７６３０９号公報
【発明の概要】
【発明が解決しようとする課題】
【０００６】
上記従来の冷蔵庫によると、コスト削減のために外箱を形成する金属板を薄肉化した際に、両側面板は天面板で連結されるため折れ曲がりにくく、平板状態を維持される。しかしながら、背面板は製造工程中のハンドリング等に自重によって折曲部が座屈して高さ方向で前面側に折れ曲がる場合がある。これにより、冷蔵庫の歩留りが悪くなる問題があった。
【０００７】
本発明は、本発明は、コストを削減するとともに歩留りを向上できる冷蔵庫を提供することを目的とする。
【課題を解決するための手段】
【０００８】
上記目的を達成するために本発明は、前面に開口部を有する内箱と前記内箱の外側を覆う外箱との間に発泡断熱材を充填した断熱箱体を備えた冷蔵庫において、前記外箱が側面を形成する側面板と背面を形成する背面板とを有し、前記背面板が両側部を前方に折り曲げた折曲部を設けられるとともに前記側面板の後端部に前記折曲部を弾性により保持する保持部を設け、前記折曲部が塑性変形により形成される複数の突起部を有することを特徴とする。
【０００９】
また本発明は、上記構成の冷蔵庫において、前記突起部が上下方向に延びて上下方向に並設されることを特徴とする。
【００１０】
また本発明は、上記構成の冷蔵庫において、前記突起部が水平方向に複数列設けられ、隣接する列の前記突起部が上下方向にずれて配されることを特徴とする。
【００１１】
また本発明は、上記構成の冷蔵庫において、前記突起部が前後方向に延びて上下方向に並設されることを特徴とする。
【００１２】
また本発明は、上記構成の冷蔵庫において、前記突起部が内側に向って突出するとともに前記折曲部の前端まで延び、前記突起部間の外面に形成される溝部の前面が開放されるとともに、前記溝部の後端が前記側面板の後端よりも後方に配されることを特徴とする。
【発明の効果】
【００１３】
本発明によると、外箱の背面板の両側部に設けた折曲部が塑性変形により形成される複数の突起部を有する。これにより、背面板が補強され、外箱を薄肉化しても背面板の折れ曲がりを防止することができる。従って、冷蔵庫のコストを削減するとともに歩留りを向上することができる。また、保持部内に配される折曲部の複数の突起部間を介して発泡断熱材の発泡時のガスが排気される。このため、冷蔵庫の背面にガス抜き孔を設ける必要がなく、冷蔵庫の美観を向上することができる。
【図面の簡単な説明】
【００１４】
【図１】本発明の第１実施形態の冷蔵庫を示す側面断面
【図２】本発明の第１実施形態の冷蔵庫の断熱箱体を示す斜視図
【図３】本発明の第１実施形態の冷蔵庫の背面板を示す斜視図
【図４】図３のＡ部を拡大した正面図
【図５】図２のＢ−Ｂ線で切断した上面断面図
【図６】本発明の第２実施形態の冷蔵庫の背面板を示す斜視図
【図７】図６のＣ部を拡大した正面図
【図８】図７のＤ−Ｄ線で切断した側面断面図
【図９】本発明の第３実施形態の冷蔵庫の側面板の要部を示す斜視図
【図１０】図９のＥ−Ｅ線で切断した上面断面図
【発明を実施するための形態】
【００１５】
＜第１実施形態＞
以下に本発明の実施形態を図面を参照して説明する。図１は第１実施形態の冷蔵庫１を示す側面断面図である。冷蔵庫１は外箱８と内箱９との間にポリウレタンフォーム等の発泡断熱材２３を充填した断熱箱体２を有している。
【００１６】
断熱箱体２には上方から順に冷蔵室３、冷凍室４、野菜室５が設けられる。冷蔵室３と冷凍室４とは内箱９に予め形成されて組み付けられる仕切部６によって仕切られ、冷凍室４と野菜室５とは内箱９に予め別に形成されて組み付けられる仕切部７によって仕切られる。仕切部６、７内には発泡スチロール等の断熱材が充填されている。
【００１７】
冷蔵室３は貯蔵物を冷蔵保存し、前面の開口部３ａは回動式の扉３ｂにより開閉される。冷凍室４は貯蔵物を冷凍保存し、前面の開口部４ａは貯蔵物を収納する収納ケース１２と一体に形成された引き出し式の扉４ｂにより開閉される。
【００１８】
野菜室５は貯蔵物を冷蔵室３よりも高温の冷蔵温度で冷蔵保存し、野菜や果物などを収納する。野菜室５の前面の開口部５ａは収納ケース１０と一体に形成された引き出し式の扉５ｂにより開閉される。
【００１９】
野菜室５の背面側には機械室１６が設けられている。機械室１６には冷凍サイクルを運転する圧縮機１７が配される。機械室１６の背面は機械室カバー（不図示）により塞がれる。
【００２０】
冷凍室４の背後には冷気が流通する冷気通路２１が設けられている。冷気通路２１には冷凍室４内に臨む吐出口２１ａ及び戻口２１ｂが開口する。冷気通路２１には冷凍サイクルの低温部となる冷却器１５が配される。冷却器１５の上方には送風ファン１４が配される。
【００２１】
冷蔵室３の背後にはダンパ（不図示）を介して冷気通路２１に連通する冷気通路２２が設けられる。冷気通路２２には冷蔵室３内に臨む吐出口２２ａが開口する。冷蔵室３には野菜室５に連通する連通路（不図示）が導出され、冷蔵室３から流出した冷気は連通路を介して野菜室５に吐出される。
【００２２】
図２は断熱箱体２の後方から見た斜視図を示している。内箱９は樹脂成形品により形成され、外箱８は鋼板等の金属板により形成される。外箱８は内箱９に対して所定量隔てて内箱９の外側に配され、両者間に発泡断熱材２３が充填される。
【００２３】
外箱８は天面板４１、側面板４４、背面板４０及び底面板４２により形成される。断熱箱体２の天面及び両側面を形成する天面板４１及び側面板４４は同一金属板を折曲して形成される。
【００２４】
断熱箱体２の底面を形成する底面板４２は両側面板４４の下部に取り付けられる支持部材４６上に設置して両側面板４４間に橋架される。側面板４４には発泡断熱材２３の原液が注入される注入口４５が設けられる。なお、断熱箱体２は背面板４０を上方に面して配置して、注入口４５から発泡断熱材２３の原液が注入される。
【００２５】
図３は背面板４０の斜視図を示し、図４は図３のＡ部を拡大した正面図を示している。背面板４０は略コ字状に形成され、両側部を前方に折り曲げて形成される折曲部５０を有している。
【００２６】
折曲部５０には複数の突起部５１が設けられる。突起部５１は背面板４０をプレス加工して折曲部５０を形成する際に同時に塑性変形して形成される。突起部５１は上下方向に延び、隙間５３を介して上下に複数並設される。
【００２７】
また、突起部５１は隙間５４を介して水平方向に複数列設けられ、隣接する列の突起部５１が上下方向にずれて配される。なお、同図において突起部５１が２列設けられるが、３列以上設けてもよい。
【００２８】
図５は図２のＢ−Ｂ線で切断した上面断面図を示している。側面板４４は両側の後端４４ａを折り返してＵ字状に屈曲した保持部５２を有している。保持部５２は弾性により折曲部５０を保持している。この時、突起部５１の先端は保持部５２の側壁５２ｂに当接する。また、保持部５２には発泡断熱材２３が漏出しない程度の大きさ（例えば直径１ｍｍ）に形成されるガス抜孔５２ａが形成されている。
【００２９】
上記構成の冷蔵庫１において、発泡断熱材２３の原液が注入口４５から充填されると、発泡により発生するガスは保持部５２のガス抜孔５２ａに進入する。そして、ガスは突起部５１間に形成される隙間５３、５４を通って冷蔵庫１の外側に排気される。
【００３０】
本実施形態によると、外箱８の背面板４０の両側部に設けた折曲部５０が塑性変形により形成される複数の突起部５１を有する。これにより、背面板４０が補強され、外箱９を薄肉化しても背面板４０の折れ曲がりを防止することができる。従って、冷蔵庫１のコストを削減するとともに歩留りを向上することができる。また、保持部５２内に配される折曲部５０の複数の突起部５１間を介して発泡断熱材２３の発泡時のガスが排気される。このため、冷蔵庫１の背面にガス抜孔を設ける必要がなく、冷蔵庫１の美観を向上することができる。
【００３１】
また、突起部５１が上下方向に延びて隙間５３を介して上下方向に並設されるため、発泡断熱材２３が充填される際に発生するガスを容易に排気することができる。
【００３２】
また、突起部５１が水平方向に複数列設けられ、隣接する列の突起部５１が上下方向にずれて配されるため、背面板４０をより補強するとともに、隙間５３を介した保持部５２内への異物進入を防止することができる。
【００３３】
また、本実施形態において、折曲部５０の内面側と外面側とを連通させる貫通孔を設けてもよい。これにより、保持部５２に進入したガスが貫通孔を介して折曲部５０の外面側に導かれ、ガスを容易に排気することができる。
【００３４】
＜第２実施形態＞
次に、第２実施形態の冷蔵庫１について説明する。本実施形態は第１実施形態の突起部５１の形状が異なっている。その他の部分は第１実施形態と同様である。図６は本実施形態の背面板４０の斜視図を示し、図７は図６のＣ部を拡大した正面図を示し、図８は図７のＤ−Ｄ線で切断した側面断面図を示している。説明の便宜上、第１実施形態と同様の部分には同一の符号を付している。
【００３５】
背面板４０の折曲部５０には水平方向に延びる複数の突起部５１が配されている。突起部５１は背面板４０のプレス加工によって塑性変形して形成され、折曲部５０の上部から下部まで水平方向に延びて上下方向に隙間５５を有して並設されている。なお、突起部５１を水平方向に複数設けてもよい。
【００３６】
本実施形態によると、第１実施形態と同様の効果を得ることができる。
【００３７】
＜第３実施形態＞
次に、第３実施形態の冷蔵庫１について説明する。本実施形態は第１実施形態の突起部５１の形状が異なっている。その他の部分は第１実施形態と同様である。図９は本実施形態の背面板４０の要部の斜視図を示し、図１０は図９のＥ−Ｅ線で切断した上面断面図を示している。説明の便宜上、第１実施形態と同様の部分には同一の符号を付している。
【００３８】
背面板４０の折曲部５０には水平方向に延びる複数の突起部５１が設けられる。突起部５１は背面板４０のプレス加工によって塑性変形して形成される。突起部５１は内側（対向する折曲部５０側）に向かって突出し、折曲部５０の前端まで延びて形成される。
【００３９】
また、突起部５１の外面側に形成される溝部５６は前面５６ａを開放され、後端５６ｂは側面板４４の後端４４ａよりも後方に配される。これにより、発泡断熱材２３の発泡時に保持部５２内に進入したガスが溝部５６を介して排気される。
【００４０】
本実施形態によると、突起部５１が前後方向に延びて上下方向に並設されるため、第１実施形態と同様の効果を得ることができる。
【００４１】
また、突起部５１の外面側に形成される溝部５６の前面５６ａが開放され、後端５６ｂが側面板４４の後端４４ａよりも後方に配される。このため、発泡断熱材２３の発泡時のガスは溝部５６を介して排気することができる。溝部５６は外側から見えない保持部５２内に配されているため、冷蔵庫１の美観の低下を防止することができる。
【産業上の利用可能性】
【００４２】
本発明によると、本発明は断熱箱体を備えた冷蔵庫に利用することができる。
【符号の説明】
【００４３】
１    冷蔵庫
２    断熱箱体
３      冷蔵室
３ａ    開口部
４      冷凍室
４ａ    開口部
５      野菜室
５ａ    開口部
６、７  仕切部
８      外箱
９      内箱
１０    収納ケース
１１    小物ケース
１２    収納ケース
１４    送風ファン
１５    冷却器
１６    機械室
１７    圧縮機
１８    注入口
１９    注入口
２０    冷気通路
２１    冷気通路
２２    冷気通路
２３    発泡断熱材
４０    背面板
４１    天面板
４２    底面板
４４    側面板
４４ａ  後端
４５    注入口
４６    支持部材
５０    折曲部
５１    突起部
５２    保持部
５２ａ  ガス抜孔
５２ｂ  側壁
５３、５４、５５    隙間
５６    溝部
５６ａ  前面
５６ｂ  後端
【図１】
2015031445.tif 000003
【図２】
2015031445.tif 000004
【図３】
2015031445.tif 000005
【図４】
2015031445.tif 000006
【図５】
2015031445.tif 000007
【図６】
2015031445.tif 000008
【図７】
2015031445.tif 000009
【図８】
2015031445.tif 000010
【図９】
2015031445.tif 000011
【図１０】
2015031445.tif 000012